(57)【要約】【課題】同時に表示されるポップアップの数を抑制することにより、ポップアップの見落としやそれに伴う操作ミスを防止する。【解決手段】  マルチタブ表示方式によるマルチタブ方式による画面表示において、最前面表示中のタブと関連した内容のポップアップ内容のみを表示できるように、タブとポップアップの関連性をデータテーブルとして保持する。最前面表示中のタブが入れ換わった時やポップアップの表示又は削除の指示があった時に、ポップアップの表示内容を切り換える。【選択図】  図１
2008234425.tif 000002
【特許請求の範囲】
【請求項１】
マルチタブ表示方式により複数のポップアップ画面を表示画面に表示することができる表示システムにおいて、
表示されるタブに関連付けて表示画面の最前面に表示するポップアップ画面を管理する第１管理手段と、
表示可能なタブとポップアップ画面の関連を管理する第２管理手段と、
タブの変更に応じて、該第１管理手段及び第２管理手段の内容を変更し、かつ該第１管理手段により最前面に表示されるポップアップ画面に関連する、該第２管理手段で管理されるポップアップ画面を同じ画面上に表示する表示制御手段と、
を有することを特徴とする表示システム。
【請求項２】
前記第１管理手段は、タブ名に対応して最前面に表示するか否かを管理する表示フラグを登録するタブテーブルを有し、
前記第２管理手段は、タブに関連して表示可能なポップアップ内容を登録する関連テーブルを有し、
最前面表示中のタブが入れ換わった場合又は削除する場合には、該タブテーブル及び該関連テーブルの内容を変更することを特徴とする請求項１の表示システム。
【請求項３】
更に、表示するポップアップ名と、表示内容、及び該表示内容をポップアップ表示してよいか示すフラグを管理するポップアップテーブルを有し、
前記第１管理手段によって最前面に表示されるタブに関連するポップアップの該表示フラグがＯＮとなっている画面を表示することを特徴とする請求項１又は２の表示システム。
【発明の詳細な説明】
【技術分野】
【０００１】
本発明は表示システムに係り、例えば銀行で用いられる現金処理装置や通帳印字プリンタなどのデバイスを接続する端末装置による表示処理に関する。
【背景技術】
【０００２】
銀行の勘定系システムは、一般的に、センターに設置されたホストにサーバが接続され、更にそのサーバに、端末や、ＰＣ（パーソナルコンピュータ）、及び現金処理機や通帳印字プリンタ等の複数のデバイスが接続されて構成される。ＰＣはＷｅｂブラウザ等の表示機能を持ち、上位のサーバからの指示や行員の操作により種々の情報を表示する。
【０００３】
例えば、ＰＣの表示では、複数の業務を同時に行うために、１つの表示画面中に複数の業務内容を表示させることがある。表示形式としては、複数のウインドウを表示させる形式（以下、マルチウインドウ表示方式）や、１つのウインドウ上に複数の表示内容を持たせ、タブを使って表示内容を切り換える形式（以下、マルチタブ表示方式）などがある。マルチタブ表示方式は、Ｗｅｂブラウザで利用されている。
【０００４】
マルチタブ表示方式は、マルチウインドウ表示方式と比べ、画面内容を大きく表示できるという利点がある。このため、携帯電話や携帯情報端末などの、表示器が小さい端末に利用されている。
【０００５】
また、特許文献１（特開２００２−４０８８０号公報）には、複数の選択肢を表示する表示画面を有し、複数の選択肢のうち、少なくとも１つを選択することにより、選択された選択肢の細部項目を展開するポップアップ画面を表示するユーザインターフェース用表示装置が開示されている。
【０００６】
ポップアップは、ＰＣの使用中に最前面に表示させる小さな新規ウインドウのことで、緊急性や重要性の高い表示やＷｅｂページでの広告表示に用いられている。上記専用デバイスで障害が発生した時も、緊急性が高いため、ポップアップによる警告表示が有効である。
【０００７】
【特許文献１】特開２００２−４０８８０号公報
【発明の開示】
【発明が解決しようとする課題】
【０００８】
端末に接続されたデバイスに障害が発生した場合に、それを契機としたポップアップ表示されることがある。ポップアップ表示は表示内容に気づかせることを目的としているため、画面中央などの気づかれやすい場所に表示される。しかし、もし同時に複数のポップアップが表示されると、通常の表示内容の隠される部分が増え、画面表示が見えにくくなる。また、ポップアップの見落としやそれに伴う行員の操作ミスが発生する可能性がある。
【０００９】
本発明の目的は、同時に表示されるポップアップの数を抑制することにより、ポップアップの見落としやそれに伴う操作ミスを防止することにある。
【課題を解決するための手段】
【００１０】
本発明に係る表示システムは、好ましくは、マルチタブ表示方式により複数のポップアップ画面を表示画面に表示することができる表示システムにおいて、表示されるタブに関連付けて表示画面の最前面に表示するポップアップ画面を管理する第１管理手段と、表示可能なタブとポップアップ画面の関連を管理する第２管理手段と、タブの変更に応じて、第１管理手段及び第２管理手段の内容を変更し、かつ第１管理手段により最前面に表示されるポップアップ画面に関連する、第２管理手段で管理されるポップアップ画面を同じ画面上に表示する表示制御手段と、を有する表示システムとして構成される。
好ましい例では、前記第１管理手段は、タブ名に対応して最前面に表示するか否かを管理する表示フラグを登録するタブテーブルを有し、前記第２管理手段は、タブに関連して表示可能なポップアップ内容を登録する関連テーブルを有し、最前面表示中のタブが入れ換わった場合又は削除する場合には、タブテーブル及び関連テーブルの内容を変更する。
また、好ましくは、更に、表示するポップアップ名と、表示内容、及び表示内容をポップアップ表示してよいか示すフラグを管理するポップアップテーブルを有し、前記第１管理手段によって最前面に表示されるタブに関連するポップアップの表示フラグがＯＮとなっている画面を表示する。
【発明の効果】
【００１１】
本発明によれば、同時に表示されるポップアップの数を減少させ、画面の表示内容が見やすくすることが可能となる。これにより、ポップアップの見落としや操作ミスを防止することができる。
【発明を実施するための最良の形態】
【００１２】
以下、図面を参照して、本発明の一実施例について説明する。
[実施例１]
この例は、複数のデバイスと連動して複数のポップアップを表示する銀行の勘定系システムに適用したものである。
図１のように、このシステムは、ホスト１０１と、及びホスト１に接続されるサーバ１０２、サーバ１０２に接続されたデータベース（ＤＢ）１０３、サーバ１０２に接続された複数の端末１０４、表示装置１０６１及び入力装置１０６２を含むＰＣ１０５、およびデバイス１０７，１０８，１０９を含んで構成される。行員が操作する端末１０４は、勘定系システム内に複数台接続されており、入金や出金などの処理を行うことができる。
【００１３】
端末１０４に接続されるデバイスとしては、端末を操作するためのＰＣ１０６のほか、金融端末独自のデバイス（専用デバイス）である現金処理機１０７、通帳印字プリンタ１０８、カードリーダ／ライタ１０９がある。
【００１４】
また、端末１０４は、サーバ１０２からの指示又は行員が操作する入力装置１０６２の指示により、表示装置１０６２の画面に情報を表示する機能を持つ。端末の表示機能は、専用の表示機能又はＰＣのＷｅｂブラウザなどの表示機能が用いられる。表示装置１０６２にはマルチウィンドウ形式で複数のウィンドウが表示される。
【００１５】
図２に、本実施例による表示画面の一例を示す。この例では、マルチタブ表示方式で複数の画面をタブ形式で表示する。図示では、入金タブ２０１と、出金タブ２０２の２つのタブが表示されている。現在最前面に表示中のタブは入金タブ２０１であり、これと関連した内容のポップアップ２１１が表示されている。
【００１６】
本実施例において、端末１０４はタブ処理及びポップアップ処理を行う。また、ＤＢ１０３は、後述するタブテーブル３０１、関連テーブル３０２、及びポップアップテーブル３０３を記憶する。端末１０４は、これら各テーブル３０１〜３０３の閲覧及び更新等の処理を行う。また、端末１０４はＰＣ１０５に対して表示の指示を行う。
【００１７】
次に、図３を参照して各テーブルの構成について説明する。
本実施例では、データテーブルとして、タブテーブル３０１と、関連テーブル３０２と、ポップアップテーブル３０３を有する。
タブテーブル３０１は、現在表示中のタブの情報を管理するものであり、タブ名３０１１と最前面表示フラグ３０１２を登録する。最前面表示フラグがＯＮとなっているタブは、最前面に表示され、これに関連したポップアップが必要に応じて表示される。一方、最前面表示フラグがＯＦＦとなっているタブについては、その表示は背後にあり、以後このタブを切り換える（ＯＮにする）ことにより、最前面に表示可能である。
【００１８】
関連テーブル３０２は、タブに関連性のあるポップアップ名を管理するものであり、タブ名３０２１と、当該タブに関連性のあるポップアップ名３０２２を登録する。
ポップアップテーブル３０３は、表示するポップアップ名３０３１と、表示内容３０３２、及び表示フラグ３０３３を登録して管理する。これらの内容は、予め登録されているものとする。表示フラグがＯＮとなっているものは、ポップアップ表示してよいことを意味する。ポップアップは、タブテーブル３０１の最前面表示フラグがＯＮのタブにおいて、関連するポップアップの表示フラグがＯＮとなっている場合に表示される。
【００１９】
ポップアップの表示切り換えは、タブの表示に変化があった場合と、ポップアップの表示・削除指示が出された場合に行われる。タブの表示変化は、タブが作成された時、切り換わった時、又は削除された時である。以下、ポップアップの表示切り換えの例を、ＤＢ操作用の言語ＳＱＬを用いて説明する。
【００２０】
次に、図４を参照してタブ作成処理について説明する。
初めに、端末１０４の処理によって、タブテーブル３０１と関連テーブル３０２にタブ情報を追加する（Ｓ４０１、４０２）。関連テーブル３０２へは、関連するポップアップの数だけ情報を追加する。次に、端末１０４の指示によりＰＣ１０５の表示装置１０６１の画面に、作成したタブを表示する（Ｓ４０３）。最後に、タブ切り換え処理を行い、作成したタブを最前面に表示する（Ｓ４０４）。
【００２１】
例えば、入金処理タブの表示中に、別のタブ(両替処理タブ)を追加表示する処理の例について説明すると、まず、タブテーブル３０１に両替処理タブを登録する(Ｓ４０１)。具体的には、タブ名=両替処理、最前面表示フラグ=ＯＦＦをタブテーブルに登録する。ここで、両替処理タブは、取り敢えず最前面表示しないようにしておく。
次に、両替処理タブに関連したポップアップ「現金機排他制御」を、関連テーブル３０２に追加する（Ｓ４０２）。具体的には、タブ名=両替処理、ポップアップ名=現金機排他制御を関連テーブル３０２に登録する。次に、端末１０４からＰＣ１０５に対して、表示装置１０６１に入金処理タブを表示するように指示を出す(Ｓ４０３)。
【００２２】
次に、タブテーブル３０１の最前面表示タブを切り換える(Ｓ４０４)。具体的には、タブテーブル３０１の最前面表示フラグを次のように切り換える。
まず、タブ名=入金処理  の最前面表示フラグを、ＯＮからＯＦＦに切り換える。次に、タブ名=両替処理  の最前面表示フラグを、ＯＦＦからＯＮに切り換える。
【００２３】
その後、端末１０４はＰＣ１０５に対して、最前面表示タブを、入金処理タブから両替処理タブへ切り換えるように指示を出す。そして、最後に、両替処理タブと関連したポップアップを検索し、表示させる。ここで、ポップアップテーブルの、ポップアップ名=現金機排他制御の表示フラグがＯＮとなっているポップアップを表示する。
【００２４】
次に、図５を参照してタブ切り換え処理について説明する。
タブを切り換える前に、表示中のポップアップを一旦削除する（Ｓ５０１）。次に、最前面表示中タブの最前面表示フラグをＯＮからＯＦＦに切り換える（Ｓ５０２）。この切り換え処理は、端末１０４からＤＢ１０３に記憶されたタブテーブルへの書き込みによって行う。
【００２５】
そして、端末１０４はＰＣ１０５に対してタブの表示切り換え指示を出す（Ｓ５０３）。
すると、最前面表示タブを切り換えられたので、表示するポップアップも変更になり、新たに表示させるポップアップを検索する（Ｓ５０４）。そして、表示装置１０６１にポップアップ表示する（Ｓ５０５）。
【００２６】
次に、図６を参照してタブ削除処理について説明する。
タブ削除を行う前に、当該タブが最前面表示中かどうかをチェックする（Ｓ６０１）。最前面表示中であれば、図５のタブ切り換え処理（Ｓ５００）を行い、予め最前面表示タブを変更しておく。次に、タブテーブルと関連テーブルから、削除するタブのタブ情報を消去する（Ｓ６０２、６０３）。最後に、タブを画面上から消去する（Ｓ６０４）。
【００２７】
次に、図７を参照してポップアップ表示処理について説明する。
まず、ポップアップテーブル３０３の表示したいポップアップに関して、ポップアップ表示フラグをＯＦＦからＯＮに切り換える（Ｓ７０１）。次に、表示したいポップアップを、今すぐ表示してよいか(最前面表示タブとの関連性)をチェックする（Ｓ７０２）。具体的には、タブテーブル３０１の最前面表示フラグ=ＯＮとなっているタブのタブ名と、ステップＳ７０１のポップアップ名の組み合わせが関連テーブル３０２に在る否かチェックする。
次に、このポップアップを画面上に表示させるか判定するため、最前面表示タブとの関連性をチェックした結果、関連性があれば（ＳＱＬの結果が０でなければ）（Ｓ７０３）、ポップアップを実際に表示する（Ｓ７０４）。
【００２８】
次に、図８を参照してポップアップ削除処理について説明する。
まず、削除したいポップアップについて、ポップアップテーブル３０３のポップアップ表示フラグをＯＮからＯＦＦに切り換える（Ｓ８０１）。次に、このポップアップが表示中か否かチェックする（Ｓ８０２）。具体的には、タブテーブル３０１の最前面表示フラグ=ＯＮとなっているタブのタブ名と、ステップＳ８０１のポップアップ名の組み合わせが、関連テーブル３０２に在るか否かをチェックする。そのチェックの結果、表示中であれば、ポップアップを画面から消去する（Ｓ８０３，Ｓ８０４）。
【００２９】
このように、タブとポップアップを関連して表示させると、最前面に表示中のタブと関連性のないポップアップは表示できなくなり、これによりポップアップの表示数を減少させることができる。
【００３０】
[実施例２]
実施例１では、ポップアップの新規表示や消去が頻発するため、端末１０４に負担がかかる。その結果、ポップアップの表示速度が遅くなる可能性がある。処理負担を減らすため、ポップアップの新規表示処理の回数を減らす方法を実施例２、実施例３で説明する。
【００３１】
ポップアップの新規表示処理を減らす方法として、タブの切り換え処理（図５）における表示中ポップアップの削除処理（Ｓ５０１）を修正する。図９は、修正後の処理５０１を表している。図９の処理は、タブ切り換え処理のときに、新しく最前面表示させるタブと関連したポップアップが表示中であれば、そのまま継続表示させるようになっている。
【００３２】
新しい処理５０１は、表示中ポップアップの検索処理（Ｓ９０１）と、新しく表示するタブと関連したポップアップの検索（Ｓ９０３）を行い、削除するポップアップを求める（Ｓ９０４）。そして、ポップアップを削除する（Ｓ９０５）。
【００３３】
実施例２による処理は、表示装置１０６１に表示中のポップアップを新しく最前面表示するタブでも表示するとき、「ポップアップ削除」から「ポップアップ表示」の切り換えへの処理をせずに、そのまま残しておくための処理である。これによれば、表示処理から削除処理へ切り換える回数が減るため、ポップアップの削除処理自体の回数も減る。図５の例（実施例１）に比べて、実施例２では1回あたりの処理時間は多くなるが、図９の処理を呼ばれる回数が少なくなり、端末の処理負担が軽減され、削除時間も減る、等の効果が得られる。
【００３４】
[実施例３]
ポップアップの新規表示処理の回数を、端末１０４を起動した時の１回のみに削減する方法として、表示画面の背面にポップアップを隠す方法を説明する。その画面例を図１０に示す。
端末を起動したとき、表示する可能性のある全てのポップアップを、非表示ポップアップ１００１として、最前面表示タブ１００２の背面に作成する。このとき、ポップアップ１００１は、タブ１００２に隠れて見えない。ポップアップを表示するときは、タブ１００２の前面に表示させる（表示中ポップアップ１００３）。このように、ポップアップを最前面表示タブの前面・背面に移動することで、ポップアップの表示・非表示を切り換えることができる。これにより、実施例１や実施例２と比較し、ポップアップの表示速度が向上する。
【００３５】
また、ポップアップの新規表示回数を削減する方法として、上述の例では、非表示ポップアップを画面背面に置いているが、代替例では、ポップアップを画面背面に置かず、非表示にすることも可能である。この表示、非表示の切り換えを表示中のポップアップごとに、フラグのＯＮ，ＯＦＦで切り換えることにより実現できる。
なお、本発明は、銀行システムに限らず、タブとポップアップに関連を持たせて、ポップアップの表示制御を行うＰＣ或いは表示システムで実現できる。例えば、ＰＣで本発明を実現する場合には、上記した、端末１０４による表示制御機能はＰＣ内に設けてもよい。
【図面の簡単な説明】
【００３６】
【図１】一実施例が適用される銀行システムの構成を示す図。
【図２】マルチタブ表示による画面表示の例を示す図。
【図３】各データテーブルの構成例を示す図。
【図４】タブ作成処理のフローチャート。
【図５】タブ切り換え処理のフローチャート。
【図６】タブ削除処理のフローチャート。
【図７】ポップアップ表示処理のフローチャート。
【図８】ポップアップ削除処理のフローチャート。
【図９】実施例２におけるポップアップのタブ切り換え処理のフローチャート。
【図１０】実施例３におけるポップアップの表示を示す図。
【符号の説明】
【００３７】
１０１：ホスト、  １０２：サーバ、  １０３：ＤＢ、  １０４：端末、  １０５：ＰＣ、  １０６１：表示装置、  １０６２：入力装置、  １０７：現金処理機、  １０８：通帳印字プリンタ、  １０９：カードリーダ／ライタ、  ２０１、２０２：タブ、  ２１１：ポップアップ、  ３０１：タブテーブル、  ３０２：関連テーブル、  ３０３：ポップアップテーブル。
【図１】
2008234425.tif 000003
【図２】
2008234425.tif 000004
【図３】
2008234425.tif 000005
【図４】
2008234425.tif 000006
【図５】
2008234425.tif 000007
【図６】
2008234425.tif 000008
【図７】
2008234425.tif 000009
【図８】
2008234425.tif 000010
【図９】
2008234425.tif 000011
【図１０】
2008234425.tif 000012